(57)【要約】【課題】本発明は、発音手段を有する置き台に載置可能な電子機器であって、置き台に載置された場合、置き台側の発音手段から発せられる音の大きさが、電子機器の発音手段により発せられていた音よりも小さくなるよう制御する電子機器を提供することを目的とする。【解決手段】本発明は、音量設定値を設定可能なＣＰＵ８２１と、スピーカ８００Ａ、８００Ｂと、音データ及び音量設定値の出力先を切り替える切り替え部８３５とを備える携帯電話機１であって、置き台９００に載置された場合、切り替え部８３５は、音データ及び音量設定値の出力先をスピーカ８００Ａ、８００Ｂから置き台側のスピーカ９１０Ａ、９１０Ｂに切り替え、ＣＰＵ８２１は、スピーカ８００Ａ、８００Ｂにより発せられていた音よりも置き台９００側のスピーカ９１０Ａ、９１０Ｂから発せられる音が小さくなるよう音量設定値を変更する。【選択図】図１１
2008211368.tif 000002
【特許請求の範囲】
【請求項１】
音データと音量設定値に基づいて所定の音を発する置き台側発音手段を有する置き台に載置可能な電子機器であって、
前記音データを出力する出力手段と、
前記音量設定値を設定可能な音量設定手段と、
前記出力手段から出力された前記音データと前記音量設定手段により設定された音量設定値とに基づいて所定の音を発する電子機器側発音手段と、
前記音データ及び前記音量設定値の出力先を前記電子機器側発音手段から前記置き台側発音手段に替える切り替え手段と、
該電子機器が前記置き台に載置されたことを検知可能な検知手段と、を備え、
前記検知手段により該電子機器が前記置き台に載置されたことが検知された場合、
前記切り替え手段は、前記音データ及び前記音量設定値の出力先を前記電子機器側発音手段から前記置き台側発音手段に切り替え、
前記音量設定手段は、前記電子機器側発音手段により発せられていた音よりも前記置き台側発音手段から発せられる音が小さくなるよう前記音量設定値を変更する
電子機器。
【請求項２】
前記検知手段により該電子機器が前記置き台に載置されたことが検知された場合、
前記音量設定手段は、前記置き台側発音手段から発せられる音が最小となるよう前記音量設定値を変更する請求項１に記載の電子機器。
【請求項３】
前記音量設定手段は、
前記変更された音量設定値を、
前記置き台側発音手段により発せられる音が大きくなるよう更に変更する請求項１又は２に記載の電子機器。
【請求項４】
前記音量設定手段は、
時間の経過と共に前記置き台側発音手段から発せられる音が大きくなるよう前記音量設定値を変更する請求項３に記載の電子機器。
【請求項５】
前記音量設定手段は、
該電子機器が前記置き台に載置された際における音量設定値と同じ値になった場合、前記音量設定値の変更を停止する請求項３又は４に記載の電子機器。
【請求項６】
音データと音量設定値に基づいて所定の音を発する置き台側発音手段を有する置き台と、
前記音データを出力する出力手段と、前記音量設定値を設定可能な音量設定手段と、前記出力手段から出力された前記音データと前記音量設定手段により設定された音量設定値とに基づいて所定の音を発する電子機器側発音手段と、前記音データ及び前記音量設定値の出力先を前記電子機器側発音手段から前記置き台側発音手段に替える切り替え手段と、該電子機器が前記置き台に載置されたことを検知可能な検知手段とを備えると共に、前記置き台に載置可能な電子機器と、を有する音響システムであって、
前記検知手段により前記電子機器が前記置き台に載置されたことが検知された場合、
前記切り替え手段は、前記音データ及び前記音量設定値の出力先を前記電子機器側発音手段から前記置き台側発音手段に切り替え、
前記音量設定手段は、前記電子機器側発音手段により発せられていた音よりも前記置き台側発音手段から発せられる音が小さくなるよう前記音量設定値を変更する
音響システム。
【請求項７】
音声データと音量設定値とに基づいて所定の音が発せられる電子機器側発音手段を有する電子機器が前記音データと前記音量設定値とに基づいて所定の音が発せられる置き台側発音手段を有する置き台に載置された場合における音の切り替え方法であって、
前記電子機器側発音手段から音が発せられた状態における前記電子機器が前記置き台に載置された場合、
前記電子機器側発音手段に出力されていた前記音声データと前記音量設定値とを前記置き台側発音手段に出力させると共に、前記音量設定値を変更して前記電子機器側発音手段により発せられていた音よりも前記置き台側発音手段から発せられる音が小さくなるようにする音切り替え方法。
【発明の詳細な説明】
【技術分野】
【０００１】
本発明は、発音手段を有する電子機器、該電子機器を含む音響システム及び音響システムにおける音切り替え方法に関する。
【背景技術】
【０００２】
近年、電子機器としての携帯電話機を利用して音楽を聴く機会が増えている。例えば、携帯電話機にイヤホーンを接続して音楽を聴くことに加えて、携帯電話機に配置されるスピーカから音を放音させて音楽を聴く機会が増えている。更には、携帯電話機を携帯した状態で音楽を聴くことに加え、室内で該携帯電話機１に収納されるバッテリを充電するための置き台としてのクレードルに載置した状態で音楽を聴く機会も増えている。
【０００３】
ここで、携帯電話機（通信機器本体）から発せられる音を再生する機能を有するクレードル装置が提案されている（例えば、特許文献１）。この場合、携帯電話機（通信機器本体）から再生されていた音は、クレードル側の再生装置で再生されるよう切り替えられることになる。
【特許文献１】特開２００３−３２３５１号公報
【発明の開示】
【発明が解決しようとする課題】
【０００４】
しかし、この場合、クレードル側の再生装置で再生される音の大きさが携帯電話機で再生されていた音の音量よりも大きい場合には、ユーザに不快感を与える場合があった。
【０００５】
本発明は、発音手段を有する置き台に載置可能な電子機器であって、置き台に載置された場合、置き台側の発音手段から発せられる音の大きさが、電子機器の発音手段により発せられていた音よりも小さくなるよう制御する電子機器を提供することを目的とする。
また、該電子機器を含む音響システム及び音響システムにおける音の切り替え方法を提供することを目的とする。
【課題を解決するための手段】
【０００６】
本発明は、音データと音量設定値に基づいて所定の音を発する置き台側発音手段を有する置き台に載置可能な電子機器であって、前記音データを出力する出力手段と、前記音量設定値を設定可能な音量設定手段と、前記出力手段から出力された前記音データと前記音量設定手段により設定された音量設定値とに基づいて所定の音を発する電子機器側発音手段と、前記音データ及び前記音量設定値の出力先を前記電子機器側発音手段から前記置き台側発音手段に替える切り替え手段と、該電子機器が前記置き台に載置されたことを検知可能な検知手段と、を備え、前記検知手段により該電子機器が前記置き台に載置されたことが検知された場合、前記切り替え手段は、前記音データ及び前記音量設定値の出力先を前記電子機器側発音手段から前記置き台側発音手段に切り替え、前記音量設定手段は、前記電子機器側発音手段により発せられていた音よりも前記置き台側発音手段から発せられる音が小さくなるよう前記音量設定値を変更する電子機器に関する。
【０００７】
また、前記検知手段により該電子機器が前記置き台に載置されたことが検知された場合、前記音量設定手段は、前記置き台側発音手段から発せられる音が最小となるよう前記音量設定値を変更することが好ましい。
【０００８】
また、前記音量設定手段は、前記変更された音量設定値を、前記置き台側発音手段により発せられる音が大きくなるよう更に変更することが好ましい。
【０００９】
また、前記音量設定手段は、時間の経過と共に前記置き台側発音手段から発せられる音が大きくなるよう前記音量設定値を変更することが好ましい。
【００１０】
また、前記音量設定手段は、該電子機器が前記置き台に載置された際における音量設定値と同じ値になった場合、前記音量設定値の変更を停止することが好ましい。
【００１１】
本発明は、音データと音量設定値に基づいて所定の音を発する置き台側発音手段を有する置き台と、前記音データを出力する出力手段と、前記音量設定値を設定可能な音量設定手段と、前記出力手段から出力された前記音データと前記音量設定手段により設定された音量設定値とに基づいて所定の音を発する電子機器側発音手段と、前記音データ及び前記音量設定値の出力先を前記電子機器側発音手段から前記置き台側発音手段に替える切り替え手段と、該電子機器が前記置き台に載置されたことを検知可能な検知手段とを備えると共に、前記置き台に載置可能な電子機器と、を有する音響システムであって、前記検知手段により前記電子機器が前記置き台に載置されたことが検知された場合、前記切り替え手段は、前記音データ及び前記音量設定値の出力先を前記電子機器側発音手段から前記置き台側発音手段に切り替え、前記音量設定手段は、前記電子機器側発音手段により発せられていた音よりも前記置き台側発音手段から発せられる音が小さくなるよう前記音量設定値を変更する音響システムに関する。
【００１２】
本発明は、音声データと音量設定値とに基づいて所定の音が発せられる電子機器側発音手段を有する電子機器が前記音データと前記音量設定値とに基づいて所定の音が発せられる置き台側発音手段を有する置き台に載置された場合における音の切り替え方法であって、前記電子機器側発音手段から音が発せられた状態における前記電子機器が前記置き台に載置された場合、前記電子機器側発音手段に出力されていた前記音声データと前記音量設定値とを前記置き台側発音手段に出力させると共に、前記音量設定値を変更して前記電子機器側発音手段により発せられていた音よりも前記置き台側発音手段から発せられる音が小さくなるようにする音切り替え方法に関する。
【発明の効果】
【００１３】
本発明によれば、発音手段を有する置き台に載置可能な電子機器であって、置き台に載置された場合、置き台側の発音手段から発せられる音の大きさが、電子機器の発音手段により発せられていた音よりも小さくなるよう制御する電子機器を提供することができる。
また、該電子機器を含む音響システム及び音響システムにおける音の切り替え方法を提供することができる。
【発明を実施するための最良の形態】
【００１４】
以下、図面を参照して本発明を実施するための最良の形態を説明する。なお、以下、電子機器として携帯電話機について説明するが、本発明の電子機器はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。また、置き台として充電用の置き台について説明するが、本発明の置き台はこれに限定されるものではなく、充電機能を有しないものであってもよい。
【００１５】
図１により、音響システムＳにおける基本構造について説明する。図１は音響システムＳの斜視図を示す。
【００１６】
図１に示すように、本実施形態における音響システムＳは、電子機器としての携帯電話機１と、充電用の置き台９００とを備える。携帯電話機１は、置き台９００に載置可能である。具体的には、携帯電話機１は、長手方向が水平方向を向くようにして短手方向の側面における一方が置き台９００に当接するようにして載置される。以下に、携帯電話機１及び置き台９００における詳細な構造について説明する。
【００１７】
図２から図４により、電子機器としての携帯電話機１における基本構造を説明する。図２は、携帯電話機１を開いた状態（第１開状態）における正面図を示す。また、図３（Ａ）は、携帯電話機１を開いた状態における左側面図を示し、図３（Ｂ）は、携帯電話機１を開いた状態における右側面図を示す。また、図４は、携帯電話機１を開いた状態における背面図を示す。
【００１８】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１９】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２における表面２Ａに配置される操作キー群１１とが同じ側を向くように配置された状態であり、開状態における裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００２０】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するためのテンキー等入力操作キー１４と、各種操作における決定や上下左右方向のスクロール等を行う決定操作キー１５と、から構成されている。また、音声入力部１２は、操作部側筐体２の長手方向における連結部４側とは反対の外端部側に配置される。つまり、音声入力部１２は、携帯電話機１が開状態において一方の外端部側に配置される。
【００２１】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２２】
操作部側筐体２における一方の側面には、図３（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子群１９とが設けられている。なお、インターフェース１６、ヘッドホン端子／マイク端子１７及びインターフェース１８は、不使用時において着脱可能な防塵対策用のキャップで覆われている。また、充電端子群１９は、充電端子１９ａと、グランド端子１９ｂと、外部出力手段としての音声データ出力端子１９ｃと、後述する音量設定手段としてのＣＰＵ８２１からの制御データを出力する制御データ出力端子１９ｄとにより構成される。ここで、充電端子１９ａにおける通電を検知するセンサ８２７により、携帯電話機１が置き台９００に載置されたことを検知できる。
【００２３】
操作部側筐体２における他方の側面には、図３（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２４】
操作部側筐体２のリアケース２ｂには、図４に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、バッテリ収容部９２にバッテリ９０を装着するための開口９２ａが形成されると共に、該開口９２ａを塞ぐようにバッテリリッド２５が配置される。
【００２５】
また、操作部側筐体２の上端部と表示部側筐体３の下端部とは、図２から図４に示すように、２軸ヒンジ機構を備える連結部４を介して連結される。連結部４における一方の面（裏面）には、図４に示すように、副操作キー群３３が該携帯電話機１の幅方向（短手方向）において一列に並んで配置される。副操作キー群３３は、第１キー３３ａと、第２キー３３ｂと、第３キー３３ｃとにより構成される。第２キーは、第１部３３ｂｘと、第２部３３ｂｙとを有する。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。例えば、音楽再生モードである場合には、副操作キー群を構成する各キーは、楽曲選定のための順送りキーや逆送りキーとして機能し、楽曲が再生された状態では早送りや巻き戻しキーとして機能する。具体的な割り当ては、第１キー３３ａには再生、第２キー３３ｂには順送り（第１部３３ｂｘ）及び逆送り（第２部３３ｂｙ）、第３キー３３ｃには停止の機能が割り当てられる。楽曲が再生された状態では、第１キー３３ａは再生（停止状態からの再開を含む）、第２キーは早送り（第１部３３ｂｘ）及び巻き戻し（第２部３３ｂｙ）、第３キーは停止の機能が割り当てられる。
【００２６】
表示部側筐体３は、外面がフロントケース３ａとリアケース３ｂにより構成される。表示部側筐体３におけるフロントケース３ａには、各種情報を表示するための所定形状のディスプレイ３０と、通話の相手側における音声を出力する音声出力部３１とが露出するように配置される。ディスプレイ３０には、各種文字情報のほか、ＴＶ画像や写真画像等の画像情報が表示される。ここで、音声出力部３１は、表示部側筐体３の長手方向における連結部４とは反対の外端部側に配置される。つまり、音声出力部３１は、携帯電話機１が開状態において他方の端部側に配置される。
【００２７】
また、表示部側筐体３のリアケース３ｂには、各種情報を表示するためのサブディスプレイ３２が露出して配置される。サブディスプレイ３２には、主に楽曲情報等の文字情報が表示される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２８】
次いで、図５から図７により、連結部４の構造及び携帯電話機１における変形状態について説明する。図５は、図１に示される状態から携帯電話機１の表示部側筐体３を連結部４の開閉軸Ｘを中心に折り畳んだ状態における正面図を示す。図６は、図１に示される状態から携帯電話機１の表示部側筐体３を、連結部４の回動軸Ｙを中心にして所定角度回動した状態の斜視図を示す。図７は、図５に示される状態から表示部側筐体３を回動軸Ｙを中心に１８０度回転させた状態の斜視図を示す。
【００２９】
連結部４は、一方端４ａ側において開閉連結部材により操作部側筐体２の上端部と連結されており、他方端４ｂ側において回動連結部材により表示部側筐体３の下端部と連結されている。
【００３０】
連結部４の一方端４ａには、該連結部４における表面から垂直に突出するように形成される凸形状の開閉部４ｃが形成される。そして、操作部側筐体２の上端部には、この凸形状の開閉部４ｃが挿嵌される凹形状の切り欠き部５が形成される。
【００３１】
この開閉部４ｃの開閉軸Ｘ方向における両側それぞれには、孔部Ａが形成される。また、操作部側筐体２の切り欠き部５における両内側面には、孔部Ｂが形成される。そして、凸形状の開閉部４ｃが、凹形状の切り欠き部５に挿嵌された状態において、孔部Ａと孔部Ｂとは互いに近接して対向するよう配置されると共に、孔部Ａと孔部Ｂとの双方に円筒状の開閉連結部材が挿通される。これにより、操作部側筐体２と表示部側筐体３とは、開閉可能に連結される。ここで、円筒状の開閉部材における一方は、操作部側筐体２内部からの配線が挿通可能に中空状に形成される。
【００３２】
なお、開閉部４ｃは、操作部側筐体２の上端部に挿嵌される形状であれば良く、特に凸形状に限られず、また、操作部側筐体２の上端部の形状も凹形状に限られない。
【００３３】
また、連結部４の他方端４ｂ側と表示部側筐体３の下端部とは、回動連結部材により回動自在に連結される。連結部４における表示部側筐体３側の側面には、孔部Ｃが形成される。また、表示部側筐体３における連結部４側の側面には、孔部Ｄが形成される。そして、孔部Ｃと孔部Ｄとの双方に回動連結部材が挿通されることで、操作部側筐体２と表示部側筐体３とが回動軸Ｙを中心に回動可能に連結される。つまり、操作部側筐体２と表示部側筐体３とは、表示部側筐体３の表裏状態を切り替え可能に連結される。
【００３４】
携帯電話機１は、上述したように、操作部側筐体２と表示部側筐体３とが連結部４により開閉及び回動可能に連結される。これにより、操作部側筐体２と表示部側筐体３とを、開閉軸Ｘを中心にして開閉させたり、回動軸Ｙを中心にして回動をさせたりすることで携帯電話機１を様々な状態に変形させることができる。
【００３５】
例えば、図５に示す操作部側筐体２と表示部側筐体３とが互いに重なる状態である閉状態（第１閉状態）の携帯電話機１を、操作部側筐体２及び表示部側筐体３それぞれにおける開閉軸Ｘと反対側の端部が、互いに離間するよう開閉軸Ｘを中心にして開くように変形させることで、図２から図４に示す操作部側筐体２と表示部側筐体３とが互いに重ならない開状態（第１開状態）にすることができる。
【００３６】
逆に、開状態（第１開状態）の携帯電話機１を、操作部側筐体２及び表示部側筐体３それぞれの開閉軸Ｘと反対側の端部が、互いに近づくよう開閉軸Ｘを中心にして閉じるように変形させることで、図５に示す閉状態（第１閉状態）にすることができる。
【００３７】
また、図６に示すように、表示部側筐体３を、回動軸Ｙを中心に回動させることができる。更には、表示部側筐体３を図６の状態から更に回動軸Ｙを中心に回転させることで、表示部側筐体３における表裏状態を切り替えることができる。具体的には、図２から図４に示す表示部側筐体３における表面３Ａに配置されるディスプレイ３０と、操作部側筐体２における表面２Ａに配置される操作キー群１１とが同じ側を向く開状態（第１開状態）から、表示部側筐体３が回動軸Ｙを中心に１８０度回転されることで、表示部側筐体３における表面３Ａに配置されるディスプレイ３０と、操作部側筐体２における表面２Ａに配置される操作キー群とが反対側を向く開状態（第２開状態）にすることができる。
【００３８】
そして、第２開状態における表示部側筐体３を開閉軸Ｘを中心にして閉じるよう変形させることで、携帯電話機１を図７に示す閉状態（第２閉状態）にすることができる。つまり、携帯電話機１は、図５に示す表示部側筐体３におけるディスプレイ３０が、操作部側筐体２における操作キー群１１に対向するよう配置された閉状態（第１閉状態）から、図７に示す表示部側筐体３におけるディスプレイ３０が、操作部側筐体２に対向せずに表出した状態である閉状態（第２閉状態、ターンクローズ状態）に変形させることができる。
【００３９】
ここで、図４から図７に示すように、連結部４には、携帯電話機１（電子機器）側発音手段としての第１スピーカ８００Ａと第２スピーカ８００Ｂとが収納配置される。第１スピーカ８００Ａ及び第２スピーカ８００Ｂは、連結部４における携帯電話機１の幅方向における両側にそれぞれ収納配置される。
【００４０】
そして、連結部４の前記幅方向における側面であって、第１スピーカ８００Ａ側の側面には第１スピーカ孔８１０Ａが形成され、第２スピーカ８００Ｂ側の側面には第２スピーカ孔８１０Ｂが形成される。第１スピーカ孔８１０Ａは、第１スピーカ８００Ａからの音を外部に放音させ、第２スピーカ孔８１０Ｂは、第２スピーカ８００Ｂからの音を外部に放音させる。
【００４１】
この第１スピーカ８００Ａ及び第２スピーカ８００Ｂそれぞれから異なる２つの音声チャンネルの音を再生することでステレオフォニック再生が可能である。この場合、携帯電話機１は、図２及び図５に示すように、長手方向が垂直方向と平行になるよう配置（縦にして）して第１スピーカ８００Ａ及び第２スピーカ８００Ｂそれぞれから異なる２つの音声チャンネルの音を再生させる。つまり、携帯電話機１を第１スピーカ８００Ａと第２スピーカ８００Ｂとが水平方向に並ぶように配置してステレオフォニック再生する。
【００４２】
ここで、第１スピーカ８００Ａ及び第２スピーカ８００Ｂそれぞれは、後述するメモリ８２３から出力される音声データに基づいて所定の音を発する。そして、第１スピーカ８００Ａ及び第２スピーカ８００Ｂからの放音状態は、ＣＰＵ８２１により制御される。
【００４３】
なお、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式や、操作部側筐体２と表示部側筐体３とが一つの筐体に配置され連結部を有さない型式（ストレートタイプ）でもよい。
【００４４】
続いて、図８及び図９により、操作部側筐体２及び連結部４の内部構造について説明する。図８は、操作部側筐体２の分解斜視図を示す。また、図９は、表示部側筐体３及び連結部４の部分分解図を示す。
【００４５】
操作部側筐体２は、図８に示すように、フロントケース２ａと、上述した操作キー群１１を構成するキーシート４０と、キースイッチが配置されるフレキシブルプリント配線基板５０と、シールドケース６０と、基準電位パターン層及び携帯電話機用のＲＦ（Ｒａｄｉｏ  Ｆｒｅｑｕｅｎｃｙ）モジュール等の各種電子部品を備える回路基板７０と、アンテナ部８０と、リアケース２ｂと、を備える。また、バッテリ９０は、リアケース２ｂの外側から装脱可能に収容される。
【００４６】
フロントケース２ａとリアケース２ｂとは、互いの凹状の内側面が向き合うように配置されると共に、互いの外周縁が重なり合うようにして結合される。また、フロントケース２ａとリアケース２ｂとの間には、キーシート４０と、フレキシブルプリント配線基板５０と、シールドケース６０と、回路基板７０と、アンテナ部８０とが、フロントケース２ａ側からこの順番で収納配置される。
【００４７】
回路基板７０における第１の面７２には、図示しない各種電子部品及び基準電位パターン層が形成される。また、回路基板７０における第２の面７３には、各種電子部品が配置される。具体的には、第２の面７３には、図示しないカメラ部２３やライト部２４が連結部４側の端部に偏って配置されると共に、図示しない音声入力部１２が連結部４側の端部に偏って配置される。なお、カメラ部２３やライト部２４は、リアケース２ｂに所定の形状で穿孔されている穿孔部２ｃを介して外部に露出される。ここで、回路基板７０には、後述するＣＰＵ８２１、メモリ８２３、センサ８２７等が実装される。
【００４８】
シールドケース６０は、薄型の直方体における一の広い面が開口した形状を有する金属製の部材である。シールドケース６０は、平板部４２と、平板部４２における一方の面に略垂直に形成されるリブ４４とを有する。リブ４４は、回路基板７０における第１の面７２に実装される各種電子部品のうち最も高さのある電子部品の高さと同等又はそれよりも十分に高くなるよう形成される。なお、シールドケース６０は、金属により形成する以外に、骨格を樹脂により形成し、その表面に金属性の導体膜を形成したものでもよい。
【００４９】
ここで、リブ４４は、平板部４２の周縁及び内側に上述した基準電位パターン層に対応するよう形成される。具体的には、基準電位パターン層が形成される第１の面７２と、シールドケース６０におけるリブ４４が形成される面である裏面とが向かい合うようにして配置された場合において、リブ４４の底面が基準電位パターン層上に配置されるよう形成される。
【００５０】
シールドケース６０は、リブ４４（底面）により、回路基板７０における第１の面７２に形成される基準電位パターン層と導通する。これにより、シールドケース６０は、基準電位パターン層と電気的に導通して同じ大きさの電位を有するようになる。また、シールドケース６０は、外部からのノイズが回路基板７０の第１の面７２に配置される不図示の各種電子部品に作用するのを防ぐと共に、第１の面７２に形成される高周波回路等から放出されるノイズを吸収する。ここで、シールドケース６０と回路基板７０との間に配置される図示しない導通部材を配置することで電気的に導通させてもよい。また、シールドケース６０は、後述する各種キーの押圧操作に対する剛性確保のための補強部材としても機能する。
【００５１】
フレキシブルプリント配線基板５０は、フロントケース２ａ側の面に複数のキースイッチ５１、５２、５３を有している。フレキシブルプリント配線基板５０のキースイッチ５１、５２、５３は、椀状に湾曲して立体的に形成された金属板のメタルドームを有する構造になっている。メタルドームは、その椀状形状の頂点が押圧されると、フレキシブルプリント配線基板５０の表面に印刷された不図示の電気回路に形成されるスイッチ端子に接触して電気的に導通する。なお、フレキシブルプリント配線基板５０は、複数の絶縁フィルムの間に配線を挟み込んだものである。
【００５２】
キーシート４０は、シリコンゴム製のシート４１の表面に操作キー群１１が接着剤により貼り付けられて構成される。キーシート４０における操作キー群１１を構成する機能設定操作キー１３、入力操作キー１４及び決定操作キー１５は、フレキシブルプリント配線基板５０におけるキースイッチ５１、５２、５３と対向する位置に配置されると共に、後述するフロントケース２ａに形成されるキー孔４５から露出するように配置される。
【００５３】
フロントケース２ａには、携帯電話機１を折り畳んだ状態で表示部側筐体３のディスプレイ３０と対向する内側面に、キー孔４５が複数形成される。複数のキー孔４５それぞれからは、キーシート４０上に形成される機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００５４】
アンテナ部８０は、基台上に所定形状のアンテナエレメントが配置されることにより構成さる。アンテナ部８０は、携帯電話機１における連結部４側と反対の端部側に配置される。このアンテナ部８０のアンテナエレメントは、帯状の板金により形成される。また、アンテナ部８０は、不図示の給電端子を介して回路基板７０から給電される。これにより、アンテナエレメントは、給電端子を介して回路基板７０から給電されると共に、回路基板７０のＲＦモジュール等と接続される。
【００５５】
バッテリ９０は、リアケース２ｂに形成された開口９２ａを介してバッテリ収容部９２に着脱可能に収容される。バッテリ収容部９２は、リアケース２ｂと回路基板７０における第２の面７３の一部とにより形成される。そして、バッテリ９０が収容された状態において、開口９２ａを塞ぐようにバッテリリッド２５を配置することで、バッテリ９０の脱落を抑制することができる。
【００５６】
図９に示すように、連結部４には、第１スピーカ８００Ａと、第２スピーカ８００Ｂとが収納配置される。第１スピーカ８００Ａ及び第２スピーカ８００Ｂは、携帯電話機１における幅方向の両側に配置される。具体的には、第１スピーカ８００Ａ及び第２スピーカ８００Ｂは、第１スピーカ８００Ａと第２スピーカ８００Ｂとをつなぐ第１直線Ｚ１が携帯電話機１における幅方向と平行になるように配置される。
【００５７】
また、第１スピーカ８００Ａ及び第２スピーカ８００Ｂは、所定の配線を介して回路基板７０と接続される。第１スピーカ８００Ａ及び第２スピーカ８００Ｂは、回路基板７０上に実装されるメモリ８２３やＣＰＵ８２１から、音声データや制御データの出力を受けて所定の音を発する。
【００５８】
続けて、図１０により、置き台９００について説明する。図１０は、置き台９００の正面図を示す。
図１０に示すように、置き台９００は、携帯電話機１が載置される載置部９０１と、載置部９０１の底面を構成する載置面９０２から突出するように配置される給電端子群９１１と、置き台側発音手段としての第１置き台側スピーカ９１０Ａ及び第２置き台側スピーカ９１０Ｂと、第１置き台側スピーカ孔９２０Ａ及び第２置き台側スピーカ孔９２０Ｂとを備える。また、置き台９００は、不図示のコンセントに連結される充電用のコード９９０を備える。
【００５９】
載置部９０１は、置き台９００の上面９０４から一側面９０５にわたって形成される垂直方向に窪んだ領域であり、携帯電話機１を長手方向が水平方向と平行になるよう横向きにした状態で該携帯電話機１を載置可能な領域である。
【００６０】
給電端子群９１１は、給電端子９１１ａと、グランド端子９１１ｂと、音声データ入力端子９１１ｃと、制御データ入力端子９１１ｄとにより構成される。給電端子群９１１は、携帯電話機１が載置された状態で、充電端子群１９と電気的に接続される。具体的には、携帯電話機１が載置された状態で、給電端子９１１ａと充電端子１９ａとが電気的に接続され、グランド端子９１１ｂとグランド端子１９ｂとが電気的に接続され、音声データ入力端子９１１ｃと音声データ出力端子１９ｃとが接続され、制御データ入力端子９１１ｄと制御データ出力端子１９ｄとが接続される。これにより、給電端子９１１ａから充電端子１９ａを介してバッテリ９０に電力が充電される。また、グランド端子１９ｂとグランド端子９１１ｂとが電気的に導通することで、静電気による悪影響が低減される。また、音声データ出力端子１９ｃから出力された音声データが音声データ入力端子９１１ｃを介して第１置き台側スピーカ９１０Ａ及び第２置き台側スピーカ９１０Ｂに出力される。また、制御データ出力端子１９ｄから出力された制御データが制御データ入力端子９１１ｄを介して第１置き台側スピーカ９１０Ａ及び第２置き台側スピーカ９１０Ｂに出力される。
【００６１】
第１置き台側スピーカ９１０Ａ及び第２置き台側スピーカ９１０Ｂは、置き台９００の水平方向における両側に互いに離間して配置される。第１置き台側スピーカ９１０Ａ及び第２置き台側スピーカ９１０Ｂは、該第１置き台側スピーカ９１０Ａと第２置き台側スピーカ９１０Ｂとをつなぐ第２直線Ｚ２が水平方向と平行になるよう配置される。
【００６２】
第１置き台側スピーカ孔９２０Ａ及び第２置き台側スピーカ孔９２０Ｂそれぞれは、第１置き台側スピーカ９１０Ａ及び第２置き台側スピーカ９１０Ｂそれぞれの図１２における前側に配置される壁部９２１に形成される。第１置き台側スピーカ９１０Ａ及び第２置き台側スピーカ９１０Ｂそれぞれから発せられた音は、第１置き台側スピーカ孔９２０Ａ及び第２置き台側スピーカ孔９２０Ｂそれぞれから外部空間に放音される。そして、第１置き台側スピーカ９１０Ａから第１チャンネルの音が放音され、第２置き台側スピーカ９１０Ｂから第２チャンネルの音が放音されることで、所定のステレオフォニック再生の音響空間が形成される。
【００６３】
続けて、図１１により、音響システムＳの構成について説明する。図１１は、音響システムＳの構成を説明するブロック図を示す。図１１に示すように、音響システムＳは、携帯電話機１と置き台９００とを有する。
【００６４】
携帯電話機１は、操作キー群１１、３３と、ＣＰＵ８２１と、出力手段としてのメモリ８２３及びデコーダ８２５と、検知手段としてのセンサ８２７と、第１音調整部８３１及び第２音調整部８３３と、切り替え手段としての切り替え部８３５と、第１スピーカ８００Ａ及び第２スピーカ８００Ｂと、外部出力手段としての音声データ出力端子１９ｃ及び制御データ出力端子１９ｄと、を備える。
【００６５】
置き台９００は、水平方向に離間して配置される第１置き台側スピーカ９１０Ａ及び第２置き台側スピーカ９１０Ｂと、携帯電話機１側から出力される音声データが入力される音声データ入力端子９１１ｃと、ＣＰＵ８２１から出力される制御データが入力される制御データ入力端子９１１ｄと、を備える。
【００６６】
音響システムＳは、携帯電話機１が置き台９００に載置された状態において、音声データ出力端子１９ｃと音声データ入力端子９１１ｃとが電気的に接続されると共に、制御データ出力端子１９ｄと制御データ入力端子９１１ｄとが電気的に接続される。また、音響システムＳは、携帯電話機１が置き台９００に載置された状態において、図１１において図示しない充電端子１９ａと給電端子９１１ａとが電気的に接続される。以下に、各構成要素について説明する。
【００６７】
操作キー群１１、３０は、楽曲の選択や楽曲の音量を指定することが可能であると共に、再生中の楽曲の早送りや逆戻しが可能である。
【００６８】
ＣＰＵ８２１は、制御データをメモリ８２３、デコーダ８２５、切り替え部８３５、第１音調整部８３１及び第２音調整部８３３に出力する。制御データとして、各スピーカで放音される音の大きさを設定する音量設定値のデータや、切り替え部８３５における音声データ等の出力先を指定するデータや、各スピーカにより発音される音の音域を指定する音域設定値のデータ等を例示できる。
【００６９】
ここで、ＣＰＵ８２１は、センサ８２７から携帯電話機１が置き台９００に載置されたことを検知した場合に出力される検知データを受信した場合、所定の制御データを出力する。具体的には、ＣＰＵ８２１は、切り替え部８３５に対して音声データの出力先を第１スピーカ８００Ａ及び第２スピーカ８００Ｂ側の第１音調整部８３１から、第１置き台側スピーカ９１０Ａ及び第２置き台側スピーカ９１０Ｂ側の第２音調整部８３３に切り替えさせる指示を含む制御データを出力する。そして、ＣＰＵ８２１は、第２音調整部８３３に対して第１音スピーカ８００Ａ及び第２スピーカ８００Ｂにより発せられていた音よりも第１置き台側スピーカ９１０Ａ及び第２置き台側スピーカ９１０Ｂから発せられる音が小さくなるような音量設定値を含む制御データを出力する。つまり、ＣＰＵ８２１は、音量設定値を、第１音調整部８３１に出力していた音量設定値から上述の音量設定値に変更する。
【００７０】
ここで、ＣＰＵ８２１は、第１置き台側スピーカ９１０Ａ及び第２置き台側スピーカ９１０Ｂから発せられる音が最小になるような音量設定値を含む制御データを第２音調整部８３３に出力することができる。また、ＣＰＵ８２１は、第２音調整部８３３に最小の音量設定値を出力することができる。
【００７１】
また、ＣＰＵ８２１は、上述のように第１スピーカ８００Ａ及び第２スピーカ８００Ｂから発せられていた音よりも、第１置き側スピーカ９１０Ａ及び第２置き台側スピーカ９１０Ｂから発せられる音が小さくなるように変更された音量設定値を第２音調整部８３３に出力した後、第１置き台側スピーカ９１０Ａ及び第２置き台側スピーカ９１０Ｂから発せられる音が大きくなるよう変更した音量設定値を第２音調整部８３３に更に出力することができる。
【００７２】
具体的には、ＣＰＵ８２１は、時間の経過と共に第１置き台側スピーカ９１０Ａ及び第２置き台側スピーカ９１０Ｂから発せられる音が大きくなるように音量設定値を変更しながら第２音調整部８３３に出力することができる。この場合において、ＣＰＵ８２１は、携帯電話機１が置き台９００に載置された際における音量設定値を上限として音量設定値の変更を停止することができる。
【００７３】
メモリ８２３は、エンコードされた楽曲の音声データを記憶する。メモリ８２３は、ＣＰＵ８２１からの指示に基づいて、エンコードされた音声データをデコーダ８２５に出力する。デコーダ８２５は、メモリ８２３から出力されたエンコードされた音声データを複号して、切り替え部８３５に出力する。
【００７４】
切り替え部８３５は、ＣＰＵ８２１からの指示に基づいて、第１音調整部８３１及び／又は第２音調整部８３３に音声データや制御データを出力する。携帯電話機１が置き台９００に載置されていない状態において、切り替え部８３５は、第１音調整部８３１に音声データ等を出力させる。そして、携帯電話機１が置き台９００に載置された状態において、切り替え部８３５は、ＣＰＵ８２１からの指示に基づいて第１音調整部８３１及び／又は第２音調整部８３３に音声データ等を出力する。具体的には、切り替え部８３５は、音声データの出力先を第１スピーカ８００Ａ及び第２スピーカ８００Ｂ（携帯電話機１）側から、第１置き台側スピーカ９１０Ａ及び第２置き台側スピーカ９１０Ｂ（置き台９００）側へ切り替える。
【００７５】
第１音調整部８３１は、音声データと制御データに基づいて所定の音を第１スピーカ８００Ａ及び第２スピーカ８００Ｂに放音させる。具体的には、音声データに基づいた楽曲を、制御データに含まれる音量設定値に基づいた音量で、制御データに含まれる音域を指定する音域指定値に基づいた音域の音で第１スピーカ８００Ａ及び第２スピーカ８００Ｂに放音させる。ここで、切り替え部８３５により音声データの出力先が第２音調整部８３３側に切り替えられた場合、第１音調整部８３１は、第１スピーカ８００Ａ及び第２スピーカ８００Ｂからの放音を停止させる。
【００７６】
第２音調整部８３３も同様に、音声データと制御データに基づいて所定の音を第１置き台側スピーカ９１０Ａ及び第２置き台側スピーカ９１０Ｂに発音させる。具体的には、音声データに基づいた楽曲を、制御データに含まれる音量設定値に基づいた音量で、制御データに含まれる音域を指定する音域指定値に基づいた音域の音で第１置き台側スピーカ９１０Ａ及び第２置き台側スピーカ９１０Ｂに放音させる。ここで、切り替え部８３５により音声データの出力先が第１音調整部８３１から第２音調整部８３３に切り替えられた場合、第２音調整部８３３は、第１置き台側スピーカ９１０Ａ及び第２置き台側スピーカ９１０Ｂから制御データに含まれる音量設定値に基づいた音量で放音させる。つまり、第２音調整部８３３は、音設定値の連続又は断続的な変更に応じて、第１置き台側スピーカ９１０Ａ及び第２置き台側スピーカ９１０Ｂから発せられる音の大きさを変更させる。
【００７７】
センサ８２７は、充電端子１９ａを介して給電端子９１１ａから所定の電力が供給されたことを検知して、携帯電話機１が置き台９００に載置されたことを検知する。センサ８２７は、携帯電話機１が置き台９００に載置されたことを検知した場合には、その旨を知らせる検知データをＣＰＵ８２１に出力する。上述のように、センサ８２７から出力された検知データをＣＰＵ８２１が受信した場合、ＣＰＵ８２１は、切り替え部８３５や第２音調整部８３３に対して、出力先を切り替える指示や変更された音量設定値を含む制御データを出力する。
【００７８】
続けて、図１２及び図１３により、音響システムＳの動作について説明する。図１２は、音響システムＳにおける各態様を説明する正面図を示す。図１３は、音響システムＳの動作における一態様を説明するフロー図を示す。
【００７９】
図１２及び図１３により、音響システムＳの動作における一態様について説明する。
まず、図２に示す状態で、操作キー群１１によりディスプレイ３０に表示される楽曲リストから所定の楽曲を選択して再生を指示する（ＳＴ１）。これにより、携帯電話機１の第１スピーカ８００Ａ及び第２スピーカ８００Ｂから再生が指示された楽曲がスレテオフォニック再生で放音される（ＳＴ２）。
【００８０】
次いで、携帯電話機１を図５及び図１２（ａ）に示す第１閉状態になるよう折り畳んだ状態で再生を継続する（ＳＴ３）。具体的には、第１スピーカ８００Ａと第２スピーカ８００Ｂとをつなぐ第１直線Ｚ１が水平方向ＺＸに平行になるような状態で再生を継続する。この状態において、第１スピーカ８００Ａから発せられる第１チャンネルの音は第１スピーカ孔８１０Ａから外部に放音され、第２スピーカ８００Ｂからの第２チャンネルの音は第２スピーカ孔８１０Ｂから外部に放音され、ステレオフォニック再生としての音響空間が形成される。
【００８１】
続いて、図１２（ｂ）に示すように、携帯電話機１を第１直線が垂直方向ＺＹに平行になるよう横向きにして置き台９００に載置する（ＳＴ４）。このように携帯電話機１が置き台９００に載置された状態において、第１直線Ｚ１は第２直線Ｚ２と直交する。
【００８２】
携帯電話機１が置き台９００に載置されることで、充電端子群１９と給電端子群９１１とが電気的に接続される（ＳＴ５）。そして、センサ８２７は、携帯電話機１が置き台９００に載置されたことを検知する（ＳＴ６）。
【００８３】
ＣＰＵ８２１は、切り替え部８３５に音声データの出力先を第１音調整部８３１から第２音調整部８３３に切り替えるよう指示する（ＳＴ７）。そして、ＣＰＵ８２１は、第２音調整部８３３に対して第１置き台側スピーカ９１０Ａ及び第２置き台側スピーカ９１０Ｂから発せられる音が最小になる音量設定値を含む制御データを出力する（ＳＴ８）。例えば、ＣＰＵ８２１は、第１置き台側スピーカ９１０Ａ及び第２置き台側スピーカ９１０Ｂから実質的に音が発せられない音量設定値を含む制御データを出力する。
【００８４】
切り替え部８３５はＣＰＵ８２１からの指示に基づいて、第１音調整部８３１への音声データの出力を停止すると共に、第２音調整部８３３への音声データの出力を行う。これにより、携帯電話機１の第１スピーカ８００Ａ及び第２スピーカ８００Ｂからの放音が停止されると共に、第１置き台側スピーカ９１０Ａ及び第２置き台側スピーカ９１０Ｂから最小音量での放音が開始される（ＳＴ９）。
【００８５】
続いて、ＣＰＵ８２１は、所定時間ごとに第１置き台側スピーカ９１０Ａ及び第２置き台側スピーカ９１０Ｂから発せられる音が大きくなるよう音量設定値を変更する（ＳＴ１０）。これにより、第１置き台側スピーカ９１０Ａ及び第２置き台側スピーカ９１０Ｂから発せられる音は、時間の経過と共に大きくなるよう変化する。
【００８６】
そして、ＣＰＵ８２１は、音量設定値が携帯電話機１が置き台９００に載置された際に第１音調整部８３１に出力されていた値と同じ値になった場合、第２音調整部８３３に出力される音量設定値の変更を停止する（ＳＴ１１）。これにより、携帯電話機１側の第１スピーカ８００Ａ及び第２スピーカ８００Ｂからの放音が、ユーザに不快感を与えることなく、第１置き台側スピーカ９１０Ａ及び第２置き台側スピーカ９１０Ｂからの放音に切り替わる。
【００８７】
本実施形態によれば、携帯電話機１が置き台９００に載置された場合、携帯電話機１側のスピーカからの放音を置き台９００側のスピーカからの放音に切り替えると共に、置き台９００側のスピーカから放音される音の大きさを携帯電話機１側のスピーカから放音されていた音の大きさよりも小さくすることで、ユーザに不快感を与えることなく放音を切り替えることができる。
【００８８】
また、本実施形態によれば、置き台９００側のスピーカから放音される音の大きさを該置き台９００側のスピーカが発せられる最小の音にすることで、携帯電話機１側のスピーカから置き台９００側のスピーカへの放音の切り替えを、ユーザの不快感を確実に回避しながら行うことができる。
【００８９】
また、本実施形態によれば、置き台９００側スピーカから放音される音を小さくした後、時間の経過と共に大きくすることで、携帯電話機１側のスピーカから置き台９００側のスピーカ８００への放音の切り替えをスムースに行うことができる。
【００９０】
以上、本形態の好適な実施形態について説明したが、本発明は上述した実施形態に限定されることなく種々の形態で実施することができる。本実施形態において、ＣＰＵ８２１は、所定時間ごとに音量設定値を変更すると共に、音量設定値が携帯電話機１が置き台９００に載置された際に第１音調整部８３１に出力されていた値と同じ値になった場合、該音量設定値の変更を停止するが、音量設定値の上限はこれに限定されない。例えば、ＣＰＵ８２１は、第１スピーカ８００Ａ及び第２スピーカ８００Ｂから発せられていた音の大きさと、第１置き台側スピーカ９１０Ａ及び第２置き台側スピーカ９１０Ｂから発せられる音の大きさが同じ大きさになった場合、音量設定値の変更を停止してもよい。
【図面の簡単な説明】
【００９１】
【図１】音響システムＳの斜視図を示す。
【図２】携帯電話機１を開いた状態（第１開状態）における正面図を示す。
【図３】（Ａ）携帯電話機１を開いた状態における左側面図を示し、（Ｂ）携帯電話機１を開いた状態における右側面図を示す。
【図４】携帯電話機１を開いた状態における背面図を示す。
【図５】図１に示される状態から携帯電話機１の表示部側筐体３を連結部４の開閉軸Ｘを中心に折り畳んだ状態における正面図を示す。
【図６】図１に示される状態から携帯電話機１の表示部側筐体３を、連結部４の回動軸Ｙを中心にして所定角度回動した状態の斜視図を示す。
【図７】図５に示される状態から表示部側筐体３を回動軸Ｙを中心に１８０度回転させた状態の斜視図を示す。
【図８】操作部側筐体２の分解斜視図を示す。
【図９】表示部側筐体３及び連結部４の部分分解図を示す。
【図１０】置き台９００の正面図を示す。
【図１１】音響システムＳの構成を説明するブロック図を示す。
【図１２】音響システムＳにおける各態様を説明する正面図を示す。
【図１３】音響システムＳの動作における一態様を説明するフロー図を示す。
【符号の説明】
【００９２】
Ｓ        音響システム
Ｚ１      第１直線
Ｚ２      第２直線
１        携帯電話機
２        操作部側筐体
３        表示部側筐体
１１      操作キー群
１９      充電端子群
８２１    ＣＰＵ
８２３    メモリ
８２５    デコーダ
８２７    センサ
８００Ａ  第１スピーカ
８００Ｂ  第２スピーカ
９００    置き台
９１０Ａ  第１置き台側スピーカ
９１０Ｂ  第２置き台側スピーカ
【図１】
2008211368.tif 000003
【図２】
2008211368.tif 000004
【図３】
2008211368.tif 000005
【図４】
2008211368.tif 000006
【図５】
2008211368.tif 000007
【図６】
2008211368.tif 000008
【図７】
2008211368.tif 000009
【図８】
2008211368.tif 000010
【図９】
2008211368.tif 000011
【図１０】
2008211368.tif 000012
【図１１】
2008211368.tif 000013
【図１２】
2008211368.tif 000014
【図１３】
2008211368.tif 000015